(57)【要約】【課題】  圧縮バネとして機能する弾圧手段を単品部品として取り扱うことを要せず、コードストッパーの組み付け分解が容易であり、しかも本体表面に表示物等を視認し易い状態で表示できるコードストッパーを提供すること。【解決手段】  紐１９の出入口（挿通凹部１５，１５’）、係止手段（係止片１３ａ，１４ａ，１４ａ’）及び弾圧手段（４つのバネ部１１）を平板状に一体形成して止め具１０として構成し、この止め具１０が係止手段の操作部１３，１４を外部に露出させた状態で平板状の収納ケースに収納されている。そして収納ケースの平板状部を利用することで、商品販売上必要な表示物等を見やすく表示できる。【選択図】  図４
2007007145.tif 000002
【特許請求の範囲】
【請求項１】
紐の出入口と、該出入口の中間に配置され弾圧手段により紐を係止する位置に保持する係止手段と、前記弾圧手段に抗して係止手段を作動することにより紐が係止手段から解放されるコードストッパーであって、前記出入口、係止手段及び弾圧手段を平板状に一体形成して止め具として構成すると共に、該止め具が前記係止手段の操作部を外部に露出させた状態で平板状の収納ケースに収納されていることを特徴とするコードストッパー。
【請求項２】
前記収納ケースの対向する二面側に前記係止手段が設けられている請求項１に記載のコードストッパー。
【請求項３】
前記二面側に設けた係止手段の操作部と、該係止手段と直交する方向に対向して設けられた一対の出入口との間に、それぞれ板状の弾圧手段が一体連結されている請求項２に記載のコードストッパー。
【請求項４】
前記収納ケースは係脱自在なケース本体と蓋体とで構成されている請求項１乃至３のいずれかに記載のコードストッパー。
【請求項５】
前記係止手段は前記出入口を結ぶ線に対して直交方向に延びる係止片で構成されている請求項１乃至４のいずれかに記載のコードストッパー。
【発明の詳細な説明】
【技術分野】
【０００１】
本発明は、紐の出入り口と、該出入り口の中間に配置され弾圧手段により紐を係止する位置に保持する係止手段と、前記弾圧手段に抗して係止手段を作動することにより紐が係止手段から解放するコードストッパーに関する。
【背景技術】
【０００２】
従来、衣服のフード等の周縁側に挿通されるコード（紐）の止め具として設けられるコードストッパーは、上方が解放した筒状の本体内に圧縮バネを本体内に収納し、この圧縮バネにより本体内に移動自在に嵌合したプッシュ部材を常時一方向に偏倚させると共に、これら本体およびプッシュ部材には、プッシュ部材の移動方向に対して直交する方向にコードが挿通可能な貫通孔が形成されている。両貫通孔を挿通しているコードは、通常の状態では圧縮バネの弾性力でプッシュ部材が上方に押し上げられているため、コードの本体内の位置は両貫通孔からずれて、コードの移動は阻止されている。しかし、プッシュ部材を圧縮バネの弾性力に抗する方向に押圧することで、コードの本体内の位置が両貫通孔の位置と整列し、利用者は容易に本体をコードに沿って移動させることが可能となっている（例えば、特許文献１参照）。
【０００３】
【特許文献１】特開平９−３０８５１１号公報（段落０００８、図１及び２）
【発明の開示】
【発明が解決しようとする課題】
【０００４】
しかしながら前記特許文献１にあっては、筒状の本体内に圧縮バネを収納しているため、コードストッパーの形状がコードの挿通している方向に対して直交する方向に長大化するだけでなく、圧縮バネを単品部品として用いているため組み付け分解に手間が掛かる不便さがあった。またコードストッパーの形状が筒状となるため、本体表面に商品販売上必要な表示物等を表示しようとしても表示し辛く、且つ表示しても視認しがたい不具合があった。
【０００５】
本発明は、このような問題点に着目してなされたもので、圧縮バネとして機能する弾圧手段を単品部品として取り扱うことを要せず、コードストッパーの組み付け分解が容易であり、しかも本体表面に表示物等を視認し易い状態で表示できるコードストッパーを提供することを目的とする。
【課題を解決するための手段】
【０００６】
上記課題を解決するために、本発明の請求項１に記載のコードストッパーは、紐の出入口と、該出入口の中間に配置され弾圧手段により紐を係止する位置に保持する係止手段と、前記弾圧手段に抗して係止手段を作動することにより紐が係止手段から解放されるコードストッパーであって、前記出入口、係止手段及び弾圧手段を平板状に一体形成して止め具として構成すると共に、該止め具が前記係止手段の操作部を外部に露出させた状態で平板状の収納ケースに収納されていることを特徴としている。
この特徴によれば、出入口、係止手段及び弾圧手段から成る止め具が一体構成されているので、一部品として取り扱うことができ便利であると共に、係止手段の操作部が平板状の収納ケースから露出しているので、係止手段の作動を外部から簡便に行うことができ、且つ収納ケースの平板状の表面を利用して、表面に商品販売上必要な表示物等を見やすく表示させることできる。
【０００７】
本発明の請求項２に記載のコードストッパーは、請求項１に記載のコードストッパーであって、前記収納ケースの対向する二面側に前記係止手段が設けられていることを特徴としている。
この特徴によれば、係止手段が収納ケースの対向する二面側に設けられているので、紐の係止を両側から確保できると共に、指の操作で紐を係止手段から容易に解放できる。
【０００８】
本発明の請求項３に記載のコードストッパーは、請求項２に記載のコードストッパーであって、前記二面側に設けた係止手段の操作部と、該係止手段と直交する方向に対向して設けられた一対の出入口との間に、それぞれ板状の弾圧手段が一体連結されていることを特徴としている。
この特徴によれば、弾圧手段を単品部品として改めて準備する必要がなく、しかも板状の弾圧手段を均等配置することが可能であるので、係止手段を安定作動させることができる。
【０００９】
本発明の請求項４に記載のコードストッパーは、請求項１乃至３のいずれかに記載のコードストッパーであって、前記収納ケースは係脱自在なケース本体と蓋体とで構成されていることを特徴としている。
この特徴によれば、収納ケースを係脱自在なケース本体と蓋体とで構成することにより、組立分解を簡便に行えると共に、止め具をケース本体と蓋体で収納することで係止手段に係止されている紐を外部から遮蔽ができ、係止手段の作動を安全に行うことができる。
【００１０】
本発明の請求項５に記載のコードストッパーは、請求項１乃至４のいずれかに記載のコードストッパーであって、前記係止手段は前記出入口を結ぶ線に対して直交方向に延びる係止片で構成されていることを特徴としている。
この特徴によれば、出入口を結ぶ線に対して係止手段を直交方向に延びる係止片で構成することにより、紐の解放と係止を容易に行うことができる。
【発明を実施するための最良の形態】
【００１１】
本発明の実施例を以下に説明する。
【実施例１】
【００１２】
図１は、本発明の実施例１におけるコードストッパーの全体像を示す斜視図であり、図２は、図１に示したコードストッパーを裏返しにした斜視図で、指で操作した使用例を示し、図３は、コードストッパーの分解組立斜視図であり、図４（ａ）は、コードストッパーを押圧操作した状態を示す平面図であり、図４（ｂ）は、コードストッパーの押圧操作を解除した状態を示す平面図である。
【００１３】
図１、２に示されるコードストッパー１（以下ストッパー１）は、主に衣服のフード・襟・裾上がりの周縁や、ウエストの等に用いられる紐の端部近傍に取り付けられており、特にストッパー１の表裏に形成された平板状の平坦な平板状部３，７に商品のブランド名等を自由に表示可能な構成になっている。尚、本実施例の説明において、ストッパー１の操作部１３を前方とし操作部１４を後方とし、紐１９の長さ方向を左右方向として以下に説明する。
【００１４】
このストッパー１はプラスチックで構成され、蓋体２およびケース本体６からなる収納ケース５内に止め具１０が収納されている。蓋体２およびケース本体６が一体となった収納ケース５の前後には操作溝Ａ，Ｂが形成されており、これら前後の操作溝Ａ，Ｂから止め具１０の操作部１３，１４がそれぞれ突出するように、露出している。そしてストッパー１には、一本の紐１９がケース本体内を左右方向に沿って貫通するように挿通されている。しかも紐１９は、ストッパー１内で通常移動不能に係止されている。
【００１５】
そして、ストッパー１内での紐１９の係止状態を解除するには、図２に示すように、２本の指等で操作部１３，１４を把持して、さらに操作溝Ａ，Ｂの内方に向けて押込んでいくことで（尚、操作部１３，１４の押込み構造については後述において説明する。）、ストッパー１内部での紐１９の係止状態が解除され、紐１９の長さ方向に沿ってストッパー１を左右に摺動可能となる。
【００１６】
蓋体２の平板状部３およびケース本体６の平板状部７には商品名やブランド名等のマーク（例えばＭＤ）が形成されている。このようにストッパー１の表裏に平坦な平板状部３，７が所定の大きさで形成されたことで、多様な名称やマークまたは模様等を印字や彫り込み等が簡便かつ安価に形成可能となるとともに、表示物等を視認し易い状態で表示できるストッパー１となっているので、商品の販売に必要なブランド力も高められる。
【００１７】
次に図３に示されるように、止め具１０、蓋体２、ケース本体６について説明する。止め具１０は、操作部１３，１４を備えた係止片１３ａ、１４ａ、１４ａ’と、その係止片１３ａ、１４ａ、１４ａ’の先端に形成した係合凸部１３ｂ、１４ｂ、１４ｂ’からなる係止手段と、紐１９の挿通凹部１５，１５’が形成された出入口と、操作部１３，１４と挿通凹部１５，１５’を一体連結した弾圧手段としてのバネ部１１で構成されている。
【００１８】
操作部１３，１４の外側面にはそれぞれ複数の突起部１３ｃ，１４ｃが形成されており、操作部１３，１４を把持する際の滑り止めとして形成されている。止め具１０の左右には、紐１９が挿通可能な挿通凹部１５，１５’が左右方向に沿って一対形成されている。
【００１９】
操作部１３の左側端と左側の挿通凹部１５の前方側は、弾性力を有する薄板状のバネ部１１が形成され一体連結されており、操作部１３の右側端と右側の挿通凹部１５’の前方側もバネ部１１で一体連結されている。同様にして、操作部１４の左側端と左側の挿通凹部１５の後方側、及び操作部１４の右側端と右側の挿通凹部１５’の後方側もバネ部１１，１１で一体連結されて形成されている。
【００２０】
操作部１３には、操作部１３と一体に形成された内方に向けて延設された係止片１３ａが設けられ、その先端に上方に突出する係合凸部１３ｂが形成されている。操作部１４にも操作部１４と一体に形成された内方に向けて延設されたの２本の係止片１４ａ，１４ａ’が設けられ、これらのそれぞれ先端に上方に突出する係合凸部１４ｂ，１４ｂ’が形成されている。２本の係止片１４ａ，１４ａ’間には遊嵌スペース１６が凹設されている。
【００２１】
このようにして、操作部１３および操作部１４の向かい合う二面側には、左右の挿通凹部１５、１５’を結ぶ線に対して直交方向に延びる係止片１３ａおよび２本の係止片１４ａ，１４ａ’が設けられているとともに、係合凸部１３ｂ，係合凸部１４ｂ，１４ｂ’が左右の挿通凹部１５、１５’を結ぶ線に対して略同一線上になるように配置されている。
【００２２】
次いで蓋体２について説明すると、商品名等が表面側に表示された平板状部３の前後左右の周端縁には下方に向けて係止片４が設けられ、その先端に外方を向く係合突起４ａがそれぞれに突設されている。平板状部３の側端面３ａは中央部で内方にくびれており、操作部１３，１４の押込み時に、この押圧操作を阻害しない形状になっている。平板状部３の内面には左右に所定間隔で離間され、前後方向を向く丈の低い凸条３ｂ，３ｂ’が設けられている。
【００２３】
つづいてケース本体６について説明すると、商品名等が裏面側に表示された平板状部７の前後左右の周端縁には上方に向けて保持片８が設けられ、その略中央位置にそれぞれ係合孔８ａが形成されており、前後の保持片８の間には紐１９を挿通可能な凹部９，９’が形成されている。平板状部７の側端面７ａは中央部で内方にくびれており、操作部１３，１４の押込み時に、この押圧操作を阻害しない形状になっている。平板状部７の内面には左右に所定間隔で離間され、前後方向を向く丈の低い凸条７ｂ，７ｂ’が設けられている。
【００２４】
そこで、これらストッパー１の組立方法について説明する。まずケース本体６に止め具１０を取り付ける。この際、左右前後の保持片８によって止め具１０が案内されるので、円滑に平板状部７の上面に止め具１０を載置することができるとともに、この保持片８で止め具１０の左右前後の移動が規制される。さらに、この載置状態では平板状部７の凸条７ｂが止め具１０の挿通凹部１５と係止片１４ａの間隙に収納され、同様にして凸条７ｂ’が挿通凹部１５’と係止片１４ａ’の間隙に収納されることで、止め具１０のケース本体６内における左右方向への移動が確実に規制されている。
【００２５】
そして、止め具１０を覆うように蓋体２を上方より下方に向けてケース本体６に取り付けるのであるが、この際、係止片４を保持片８の内面に沿って下方に移動させながら、さらに下方に押し込むことで、４つの係合突起４ａがそれぞれに対応する係合孔８ａに嵌合係止されて前後に操作溝Ａ，Ｂ（図１，２参照）を備えた収納ケース５が構成される。
【００２６】
さらに、この蓋体２の取り付け状態では、平板状部３の凸条３ｂが止め具１０の挿通凹部１５と係合凸部１４ｂの間隙に収納され、同様にして凸条３ｂ’が挿通凹部１５’と係合凸部１４ｂ’の間隙に収納されることで、収納ケース５内での止め具１０の左右方向へのガタツキが上下の凸条７ｂ，７ｂ’、凸条３ｂ，３ｂ’の４箇所で規制されている。
【００２７】
尚、再度ケース本体６から蓋体２を分離するには、係合孔８ａの外方より係合突起４ａを内方に押し込むことで、嵌合係止状態が解除されるので、収納ケース５の分解も簡便な作業で行える。このように収納ケース５を係脱自在なケース本体６と蓋体２とで構成して、操作部１３，１４を除く部分が収納ケース５で覆われることから、ストッパー１内に挿通される紐１９を外部から遮蔽できるとともに、係止手段の操作を安全に行える。
【００２８】
次に、操作部１３，１４の押圧操作及び押圧解除について図４に基づき説明する。操作部１３，１４が指（図２参照）で把持され、図４（ａ）に示すように、左右前後の４つのバネ部１１の弾性反発力に抗して前後方向より押圧された状態においては、バネ部１１が内方に圧縮されることから、係止片１３ａの係合凸部１３ｂが後方に移動されるとともに、係止片１４ａ，１４ａ’の係合凸部１４ｂ，１４ｂ’が前方に移動される。
【００２９】
すると、ストッパー１の内部において、係止片１３ａ，が後方に、係止片１４ａ，係止片１４ａ’が前方に移動し、凹部９，挿通凹部１５，挿通凹部１５’，凹部９’が係止片に邪魔されずに左右方向に略一直線で連なる挿通経路が形成される。この挿通経路に紐１９を挿通させることで、挿通された紐１９の長さ方向に沿ってストッパー１を摺動移動することができる。
【００３０】
尚、係止片１３ａ，１４ｂ，１４ｂ’は紐１９の出入口である挿通凹部１５，１５’を結ぶ線（紐９の挿通経路）に対して直交方向に延び、左右方向に間隔をあけて配置されているので、操作部１３，１４の押圧状態においても係止片１３ａ，１４ａ，１４ａ’同士が互いに干渉することはない。しかも操作部１４に凹設された遊嵌スペース１６によって、押圧操作時に係合凸部１３ｂが収納され、操作部１４の内側面に衝突しない構成になっている。
【００３１】
図４（ｂ）に示されるように、操作部１３，１４の押圧状態を解放すると、圧縮されていたバネ部４の反発力により操作部１３，１４が元の位置に押し戻されるとともに、係止片１３ａが前方に向けて移動され、係止片１４ａ，１４ａ’が後方に向けて移動される。すると、直線状の紐１９が係合凸部１３ｂに前方へと押し上げられるとともに、この左右近傍に位置する係合凸部１４ｂ，１４ｂ’によって紐１９が後方へと移動し、逆Ｍ字状に折り曲げられる。
【００３２】
紐１９が係合凸部１４ｂ，１３ｂ，１４ｂ’間に係止されることから、紐１９に沿ったストッパー１の移動に規制が掛かり、紐１９の所定位置にストッパー１が移動不能に固定される。このように、操作部１３および操作部１４の対向する二面側にそれぞれ交互に係止片１４ａ，１３ａ，１４ａ’が設けられたことで、紐１９の係止を前後（両側）から確保できるとともに、指の押圧操作のみで係合凸部１４ｂ，１３ｂ，１４ｂ’から紐１９が解放される。したがって、ストッパー１への紐１９の挿通および解放を操作部１３，１４の押圧操作によって容易に行える。
【００３３】
そして、前後の操作部１３，１４と左右の挿通凹部１５，１５’とを弾性手段である板状のバネ部１１で一体に連結したことで、別個に従来公知の螺旋状のバネ等を改めて準備する必要がない。しかも、バネ部１１が前後左右の４箇所に均等配置されたことで、押圧操作では操作部１３，１４に均等な圧力が加わることになり、係止手段である係止片１３ａ，１４ａ，１４ａ’の前後移動を常に安定作動させ、円滑な押圧操作を繰り返し行える。
【００３４】
以上の説明により実施例１では、紐１９の出入口（挿通凹部１５，１５’）、係止手段（係止片１３ａ，１４ａ，１４ａ’）及び弾圧手段（４つのバネ部１１）を平板状に一体形成して止め具１０として構成したので、一部品として取り扱うことができ便利であると共に、この止め具１０と蓋体２とケース本体６のみでストッパー１が構成されるので、これらの分解および組み立てが容易である。さらに、操作部１３，１４が収納ケース５の操作溝Ａ，Ｂから露出しているので、外部から押圧操作を簡便に行うことができ、且つ収納ケース５の表裏の平板状部３，７を利用して、商品販売上必要な表示物等を見やすく表示できる。
【実施例２】
【００３５】
次に、本発明の実施例２を図５に基づいて説明する。図５（ａ）は、本発明の実施例２におけるストッパーの押圧操作を示す平面図であり、図５（ｂ）は、ストッパーの押圧操作を解除した状態を示す平面図である。なお、以下の実施例２において前述の実施例１と同様の構造部分に関しては、同一の符号を付すことにより詳細な説明は省略することにする。
【００３６】
図５（ａ）に示されるように、ストッパー２１の止め具１０’の操作部２３の内側面右方には、紐１９の出入口（挿通凹部１５，１５’）を結ぶ線に対して直交する方向に係止片２３ａが設けられ、この先端に上方に突出する係合凸部２３ｂが形成されている。同様に操作部２４の内側面左方にも直交する方向に係止片２４ａが設けられ、この先端に係合凸部２４ｂが形成されている。
【００３７】
操作部２３，２４がバネ部１１に抗して指で押圧されると、係合凸部２３ｂが後方に向けて移動されるとともに、係合凸部２４ｂが前方に向けて移動される。すると、紐１９が左右方向に沿って略一直線状に挿通可能な挿通経路が形成される。したがって、実施例１と同様に押圧操作によってストッパー２１を容易に紐１９の長さ方向に沿って、摺動移動可能となる。
【００３８】
図５（ｂ）に示されるように、操作部２３，２４から指が離間され押圧操作が解除されると圧縮されていたバネ部１１の反発力により、係止片２３ａおよび係止片２４ａが前方および後方に移動されるとともに、紐１９が係合凸部２３ｂおよび係合凸部２４ｂのそれぞれに引っ掛けられて前後に向けて屈曲され、紐１９が係合凸部２３ｂおよび係合凸部２４ｂ間に係止される。
【００３９】
以上の説明により実施例２では、ストッパー２１が操作部２３，２４の互いに向かい合う二側面に係止手段（係止片２３ａ，２４ａ）が一つずつ設けられた場合であっても、操作部２３，２４の押圧操作が解放されると、紐１９の左右方向に沿ったストッパー２１の移動に規制が掛かり、紐１９の所定位置にストッパー２１を移動不能に固定できる。
【実施例３】
【００４０】
次に、本発明の実施例３を図６に基づいて説明する。図６（ａ）は、本発明の実施例３におけるストッパーの押圧操作を示す平面図であり、図６（ｂ）は、ストッパーの押圧操作を解除した状態を示す平面図である。なお、以下の実施例３において前述の実施例１と同様の構造部分に関しては、同一の符号を付すことにより詳細な説明は省略することにする。
【００４１】
図６（ａ）に示されるように、ストッパー３１の止め具１０’’の操作部３３の内側面中央位置には、紐１９の出入口（挿通凹部１５，１５’）を結ぶ線に対して直交して幅広い舌片状の係止片３３ａが設けられ、この先端に上方に突出する大型の係合凸部３３ｂが形成されている。操作部３４の内側面中央位置には、後方に凹設された遊嵌スペース３５が形成されている。
【００４２】
操作部３３，３４がバネ部１１に抗して指で押圧されると、係合凸部３３ｂが後方に向けて移動され、紐１９が左右方向に沿って略一直線状に挿通可能な挿通経路が形成される。したがって、前記各実施例と同様に、押圧操作によってストッパー３１を容易に紐１９の長さ方向に沿って、摺動移動することができる。尚、この押圧操作時には遊嵌スペース３５に係合凸部３３ｂが収納され、操作部３４の内側面に衝突しない構成になっている。
【００４３】
図６（ｂ）に示されるように、操作部３３，３４から指が離間され押圧操作が解除されると圧縮されていたバネ部１１の反発力により、係止片３３ａが前方に移動されるとともに、紐１９が係合凸部３３ｂに引っ掛けられて前方に向けて屈曲され、紐１９が係合凸部３３ｂに係止される。
【００４４】
以上の説明により実施例３では、互いに向かい合う操作部３３，３４のいずれか一方（本実施例では操作部３３側）に係止手段（係止片３３ａ）が設けられた場合であっても、操作部３３，３４の押圧操作が解放されると、紐１９の左右方向に沿ったストッパー３１の移動に規制が掛かり、紐１９の所定位置にストッパー３１を移動不能に固定できる。尚、本実施例３の場合、操作部３４はバネ部１１と連結させずに直接出入口に連結される構造であっても良い。
【００４５】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、弾圧手段（４つのバネ部１１）を兼ね備えた一体連結構造の止め具１０を利用することで、ストッパー１の構造を複雑にすることなく容易に組み立てでき、安価かつ軽量に製作できることから好ましいが、本発明はこれに限定されるものではなく、バネ部１１に替えて金属板金のバネ板を用いて、挿通凹部１５，１５’および操作部１３，１４をバネ板で連結させるようにしても良い。
【００４６】
また、紐１９と当接する係合凸部１３ｂ，１４ｂ，１４ｂ’の当接面に複数の凹凸を形成して摩擦抵抗面を増やしても良く、このようにすれば操作部１３，１４の押圧操作の解放時に紐１９に対する摩擦抵抗が高められ、より確実に紐１９に沿ったストッパー１の移動が阻止される。
【図面の簡単な説明】
【００４７】
【図１】本発明の実施例１におけるコードストッパーの全体像を示す斜視図である。
【図２】図１に示したコードストッパーを裏返しにした斜視図で、指で操作した使用例を示す。
【図３】コードストッパーの分解組立斜視図である。
【図４】（ａ）は、コードストッパーを押圧操作した状態を示す平面図であり、（ｂ）は、コードストッパーの押圧操作を解除した状態を示す平面図である。
【図５】（ａ）は、本発明の実施例２におけるコードストッパーの押圧操作を示す平面図であり、（ｂ）は、コードストッパーの押圧操作を解除した状態を示す平面図である。
【図６】（ａ）は、本発明の実施例３におけるコードストッパーの押圧操作を示す平面図であり、（ｂ）は、コードストッパーの押圧操作を解除した状態を示す平面図である。
【符号の説明】
【００４８】
１                    ストッパー（実施例１のコードストッパー）
２                    蓋体（収納ケースの一部）
３                    平板状部
３ａ                  側端面
３ｂ、３ｂ’          凸条
４                    係止片
４ａ                  係合突起
５                    収納ケース
６                    ケース本体（収納ケースの一部）
７                    平板状部
７ａ                  側端面
７ｂ、７ｂ’          凸条
８                    保持片
８ａ                  係合孔
９、９’              凹部
１０、１０’、１０’’  止め具
１１                  バネ部（弾圧手段）
１３                  操作部
１３ａ                係止片
１３ｂ                係合凸部
１３ｃ                突起部
１４                  操作部
１４ａ、１４ａ’      係止片
１４ｂ、１４ｂ’      係合凸部
１４ｃ                突起部
１５、１５’          挿通凹部（紐の出入口）
１６                  遊嵌スペース
１９、１９’          紐
２１                  ストッパー（実施例２のコードストッパー）
２３                  操作部
２３ａ                係止片
２３ｂ                係合凸部
２４                  操作部
２４ａ                係止片
２４ｂ                係合凸部
３１                  ストッパー（実施例３のコードストッパー）
３３                  操作部
３３ａ                係止片
３３ｂ                係合凸部
３４                  操作部
３５                  遊嵌スペース
Ａ、Ｂ                操作溝
【図１】
2007007145.tif 000003
【図２】
2007007145.tif 000004
【図３】
2007007145.tif 000005
【図４】
2007007145.tif 000006
【図５】
2007007145.tif 000007
【図６】
2007007145.tif 000008